(57)【要約】【課題】生活環境で多様な雑音があっでも、迅速、正しくいびき音を検出、その上、正常いびきや睡眠中無呼吸または睡眠中低呼吸を判断し、その区間のデータを収集し、波形を記録する。更に必要に応じコントロール信号を出力すること。【解決手段】  まず、音声収録用マイクを使って、睡眠中の音をとる、とった音の周波数特性とパワー及び統計値によって、いびきの特性や発生周期を検出する。次に、いびき特性の連続性及び持続性を観測し、その中の雑音または寝言など非いびき音を排除する。更に、正常いびきとの相違点を検知し、睡眠中無呼吸または睡眠中低呼吸を判断する。必要に応じ、コントロール信号を出力、又は録音・録画等その他のデータを記録する。【選択図】  図１
2007236839.tif 000002
【特許請求の範囲】
【請求項１】
日常雑音がある環境で、マイクで入力する睡眠時の音をデジタル信号処理手法でいびき音を検出、睡眠中正常いびきまたは睡眠中無呼吸または睡眠中低呼吸を判断し、その区間のデータを収集及び/または波形を記録及び/または必要とする場合コントロール信号を出力することを特徴とする検出装置。
【請求項２】
請求項１記載の検出装置において、周波数領域パワー強度と統計値を観測し、いびき特徴がある音及び/または発生周期を検出することを特徴とする部品。
【請求項３】
請求項１記載の検出装置において、請求項２記載の検出部品を使って、検出したいびき特徴がある音の連続性及び/または持続性を観測し、その中の雑音または寝言など非いびき音を排除することを特徴とする部品。
【請求項４】
請求項１記載の検出装置において、請求項３記載の検出部品の検出したいびき音を使って、各いびきの周波数領域パワー強度及び間隔時間を観測し、正常いびきまたは睡眠中無呼吸または睡眠中低呼吸を判断することを特徴とする部品。
【請求項５】
請求項１記載の検出装置を利用し、睡眠中正常いびき及び/または睡眠中無呼吸及び/または睡眠中低呼吸を発生時の録音及び/または録画コントロールすることを特徴とする装置。
【請求項６】
請求項１記載の検出装置を利用し、睡眠中正常いびき及び/または睡眠中無呼吸及び/または睡眠中低呼吸を発生する時、寝具の自動調整を行い、睡眠姿勢を改善、症状軽減を目的することを特徴とする装置。
【請求項７】
請求項１記載の検出装置を利用し、睡眠中正常いびき及び/または睡眠中無呼吸及び/または睡眠中低呼吸を発生する時、それらの防止機器・治療器・検査器を制御することを特徴とする装置。
【発明の詳細な説明】
【技術分野】
【０００１】
本発明は、マイクを使って、睡眠中呼吸音をとって、周波数領域パワーの強度と統計値特性を観測し、いびきの連続性と持続性を考えて、日常生活環境中の睡眠中いびきを検出し、正常いびきまたは睡眠中無呼吸または睡眠中低呼吸を判断し、その区間のデータを収集、更に波形を記録、必要に応じコントロール信号を出力することを特徴とする検出装置。
【背景技術】
【０００２】
睡眠中いびき、無呼吸、低呼吸は５人中に１人と言われて、よくある睡眠障害症状である。これらの症状があった場合、睡眠品質の低下、他人の睡眠を邪魔するだけではなく、多くの病気の原因となり、最悪の場合突然死の可能性もある。
【０００３】
しかし、この症状は睡眠中しか発生しない、診断のため、いびきまたは睡眠中無呼吸及または睡眠中低呼吸の録音、できれば録画も必要となる。とった録音録画からいびきまたは睡眠中無呼吸または睡眠中低呼吸を発生時の録音録画のみ抽出、病院に持っていくことが大変な時間を要するので、自動検出が必要となる。
【０００４】
いびきの検出は一般的な方法として、いびき音のパワーによって検出する方法がある。しかし、この方法では生活雑音にも反応する、更に寝返り音や、布団のガサガサ音、寝言などが障害となり、正しく検出することが不能となる。そのほか、ベッドに振動センサーを設置していびきからの体振動を観測する方法などありますが、しかし、睡眠姿勢よる測定しにくい場合も多い。
【０００５】
睡眠中いびき、無呼吸、低呼吸の検知信号により、いびき、無呼吸、低呼吸期間のみを録音・録画の実現及びそれらの防止機器・治療器・検査器を制御することができる。
【特許文献１】特開２００５−３０５１０１
【特許文献２】特開２００５−３０４９４２
【特許文献３】特開２００５−３０４９４１
【発明の開示】
【発明が解決しようとする課題】
【０００６】
現在、睡眠時無呼吸・低呼吸等の睡眠障害を検査する方法として終夜睡眠ポリグラフが用いられている。精密検査にはこの検査が欠かせないが、設備を持った施設が少ない点、病院に一泊する必要がある点、費用が高価である点等の理由から簡便な予備検査が必要とされている。解決策として終夜録音が一部採用されているが、必要な部分の抽出、雑音の影響の排除等問題点を多く抱えている。
本発明が解決しようとする課題は、生活環境で多様な雑音があっでも、迅速に正しくいびき音を検出し、その上、正常いびきまたは睡眠中無呼吸または睡眠中低呼吸を判断し、その区間のデータを収集し、波形を記録、必要に応じコントロール信号を出力すること。
【課題を解決するための手段】
【０００７】
まず、音声収録用マイクを使って、睡眠中の音をとる、とった音の周波数特性とパワー及び統計値よって、いびき特徴がある音及び発生周期を検出する。次に、いびきの特徴がある音の連続性及び持続性を観測し、その中の雑音または寝言など非いびき音を排除する。更に、正常いびきまたは睡眠中無呼吸及または睡眠中低呼吸を判断し、コントロール信号を出力する。このコントロール信号により、録音・録画等その他のデータを記録する。また、必要に応じて、それらの防止機器・治療器・検査器を制御することが出来る。
【発明の効果】
【０００８】
（１）病院が睡眠中呼吸障害症状問題を診断する際、簡易検査の手段として終夜録音・録画を行うことが多いが、本発明は生活雑音がある環境でも睡眠中いびき発生時だけ正しく検出するによって、だれでも自宅で簡単に必要音区間をとることが出来る。他人の補助や面倒な編集など不要になる。
本発明の処理前、処理後の波形比較を図２に示す。
【０００９】
（２）本発明は、睡眠中いびき発生時正しく検出した後、デジタル信号処理手法で正常いびきと睡眠中無呼吸と睡眠中低呼吸のそれぞれの特徴を検知し、三種類呼吸症状を区別するデータを算出できるため、医者が睡眠障害を検査することに役立つ事になる。
【００１０】
（３）本発明は、睡眠中いびき発生時の音をとりながら信号処理によってコントロール信号を出力し、ベッド及び/または枕の調整によって、睡眠姿勢を調整し、いびきまたは睡眠中無呼吸または睡眠中低呼吸症状を軽減または抑制することを可能になる。コントロール信号によりこのような防止機器・治療器・検査器等を制御することが出来る。
【発明を実施するための最良の形態】
【００１１】
いびき特徴がある音を検出する工程
連続性及び/または持続性を観測し、いびき音を検出する工程
正常いびきまたは睡眠中無呼吸または睡眠中低呼吸を判断する工程
データ収集と周辺機器へのコントロール信号を出力する工程
【００１２】
続いて、添付した図面を参照しつつ、本発明を具体化した実施の形態につき説明し、本発明の理解に供する。
ここに、図１は本発明の一実施の形態に係る日常生活環境中の睡眠中いびきを検出し、正常いびきまたは睡眠中無呼吸及または睡眠中低呼吸を判断し、その区間のデータを収集及び/または波形を記録及び/または必要とする場合コントロール信号を出力することを特徴とする検出装置の流れを示す構成図、図２はいびき検出する処理前と処理後の音声信号波形を示す説明図である。
【００１３】
図１に示すように、本発明の一実施の形態に係る日常生活環境中の睡眠中いびきを検出し、正常いびきまたは睡眠中無呼吸及または睡眠中低呼吸を判断し、その区間のデータを収集及び/または波形を記録及び/または必要とする場合コントロール信号を出力することを特徴とする検出装置である。
【００１４】
１０はいびき特徴がある音を検出する工程、１１はマイクとＡ／Ｄ変換器などから構成した睡眠音入力装置、１２は入力した信号を周波数領域に変換する、１３は各周波数のパワーを観測し、要求値以上の値を検出し、１４の統計装置に通知する、１４は１３からの通知による、いびき周期期間内、統計を行い装置で、いびき特徴がある音を検出する。１５は入力睡眠音を一時保存する装置である。
【００１５】
２０はいびき音を検出する工程、２１はいびき特徴がある音の連続性を観測し、いびきの連続特性と違うなら、いびきではないと判断する、２２はいびき特徴がある音の持続性を観測し、いびきの持続特性と違うなら、いびきではないと判断する、２３は１５の睡眠音一時保持装置から３１のいびき一時保持装置に転送すること及び４１に出力することをコントロールする。
【００１６】
３０は正常いびきまたは睡眠中無呼吸または睡眠中低呼吸を判断する工程、２３の出力コントロール装置の指示よって、正常いびきまたは睡眠中無呼吸または睡眠中低呼吸を判断する必要の場合、いびき音データが３１のいびき一時保持装置に預けて、３２はいびきの発生する時刻と周期を検出装置でいびきの周期を検知する、３３のいびき類似性計算装置で、前後のいびきの類似性を計算する、その結果よる、３４の判断装置で正常いびきまたは睡眠中無呼吸または睡眠中低呼吸を判断する。
【００１７】
４１は出力することをコントロール装置である、３４の判断結果によって、２３からの音データが４２要求条件設定装置からの設定条件を合わせて、４３の録音機器、４４の録画機器、４５の枕調整機器、４６のベッド調整機器、４７のデータ保存装置、４８のそのた必要の機器にコントロール信号とデータを出力する。ここで、４３から４８までの装置は応用によって、有/無の選択を可能である。
【実施例１】
【００１８】
睡眠中いびき音スイッチまたはいびき音センサーとしての利用。睡眠中いびき状態の音を録音録画する時、全睡眠時間を録音録画するか、パワーよってＯＮ・ＯＦＦする録音録画方式を採用するかのいずれかとなる。前者は事後再生しながら編集することが必要となる、これには厖大な編集時間もかかる。又、後者は充分なパワーガ入力されなければ動作せず、雑音にも反応する欠点があり実用的でない。本発明のいびき検出装置を使って、いびきまたは睡眠中無呼吸または睡眠中低呼吸の期間のみ録音録画することが可能になる。図１中、装置４３から装置４８までの装置中４３、４４、４７を選べると実現できる。
【実施例２】
【００１９】
本発明はいびき検出によって、いびきの発生周期及び前後のいびきとの類似性を算出できる、この情報を利用し正常いびきまたは睡眠中無呼吸または睡眠中低呼吸を区別でき、録音録画と共に、医者の診断に役立つことが可能である。
【実施例３】
【００２０】
いびき対策の一つとして、いびきを発生する際、睡眠姿勢の変わる（ことに）による、いびきの軽減または抑制。本発明は迅速にいびきの検知を行うので、いびきを発生する際、検出判断によって、コントロール信号を枕調整機器及び/またはベッド調整機器に出力し、枕及び/またはベッドの調整をコントロールする、いびきの軽減または抑えることを可能になる。図１中、装置４３から装置４８までの装置中４５、４６を選べると実現できる。
【図面の簡単な説明】
【００２１】
【図１】いびき検出判断及びコントロール出力装置の構成図である。
【図２】いびき検出前と検出後の波形対照図である。
【符号の説明】
【００２２】
１０： いびき特徴がある音を検出する工程
１１：睡眠音入力装置
１２：周波数領域に変換する装置
１３：各周波数パワーの判定装置
１４：判定結果の統計装置
１５：睡眠音一時保存装置
２０：いびき音を検出する工程
２１：連続性を判断装置
２２：持続性を判断装置
２３：睡眠音出力コントロール装置
３０：睡眠状況判定工程
３１：いびき音一時保存装置
３２：いびき周期検出装置
３３：類似性算出装置
３４：睡眠状況判装置
４０：データ収集とコントロール信号出力工程
４１：データ収集とコントロール信号をコントロール装置
４２：条件設定装置
４３：録音機器
４４：録画機器
４５：枕調整機器
４６：ベッド調整機器
４７：データ収集機器
４８：その他機器
５０：いびき区間検出前の睡眠音波形
５１：１回目いびき区間の波形
５２：２回目いびき区間の波形
５３：３回目いびき区間の波形
５４：１回目突発音の波形
５５：２回目突発音の波形
５６：１回目ふとんのガサガサ音の波形
５７：２回目ふとんのガサガサ音の波形
５８：ラジオ音
６０：検出後いびき区間のみの波形
【図１】
2007236839.tif 000003
【図２】
2007236839.tif 000004